(57)【要約】      （修正有）【課題】部品を便利に着脱することができる電気スタンドを提供する。【解決手段】発光手段４２及び該発光手段４２を収容する筐体４１を有する照明ユニットと、前記照明ユニットの前記筐体４１を保持することができる保持座と、前記照明ユニットの前記筐体４１と前記保持座との間に介在し、前記照明ユニットを着脱可能に前記保持座に係合して保持させる接合機構とを含む電気スタンドである。前記接合機構は、前記保持座及び前記筐体４１における何れか１つに形成される係合突起５１と、前記保持座及び前記筐体４１における他の１つに形成されて前記係合突起５１と着脱可能に係合する係合孔５２とを備えている。【選択図】図４
2016181499.tif 000002
【特許請求の範囲】
【請求項１】
発光手段及び該発光手段を収容する筐体を有する照明ユニットと、
前記照明ユニットの前記筐体を保持することができる保持座と、
前記照明ユニットの前記筐体と前記保持座との間に介在し、前記照明ユニットを着脱可能に前記保持座に係合して保持させる接合機構と、
を含み、
前記接合機構は、
前記保持座及び前記筐体における何れか１つに形成される係合突起と、
前記保持座及び前記筐体における他の１つに形成されて前記係合突起と着脱可能に係合する係合孔とを備えていることを特徴とする、
電気スタンド。
【請求項２】
設置台を更に含み、前記保持座は、前記設置台に揺動可能に取付けられていることを特徴とする、請求項１に記載の電気スタンド。
【請求項３】
前記係合突起は円柱状に形成されており、前記係合突起の先端には、直径が前記係合突起よりも大きく形成されている大径ブロックが形成されており、
前記係合孔は、
前記大径ブロックに対応して該大径ブロックを受入れることができるように形成される挿入部と、
前記挿入部の周縁から延伸して前記係合突起が通過できる一方、前記大径ブロックが通過できないように形成される係合部とを有するように形成されていることを特徴とする、請求項２に記載の電気スタンド。
【請求項４】
前記接合機構の前記係合突起は、前記保持座に配置されており、
前記接合機構の前記係合孔は、前記照明ユニットの前記筐体に形成されていることを特徴とする、請求項３に記載の電気スタンド。
【請求項５】
前記保持座には、
前記係合突起が形成されている当接部と、
前記当接部から突出して前記当接部と共に前記照明ユニットの前記筐体を保持する保持部とが形成されていることを特徴とする、請求項４に記載の電気スタンド。
【請求項６】
前記接合機構は、前記保持座が有する前記保持部に設置される第１の磁石を更に備えており、
前記照明ユニットの前記筐体は、前記第１の磁石に吸着される材料により作成されたものであることを特徴とする、請求項５に記載の電気スタンド。
【請求項７】
前記照明ユニットは、
前記筐体内に設置されて前記発光手段と電気的に接続して該発光手段を制御する回路基板と、
前記回路基板と電気的に接続するＵＳＢソケットとを更に備え、
前記筐体には、前記ＵＳＢソケットに対応する第１の挿通孔が形成されていることを特徴とする、請求項５または６に記載の電気スタンド。
【請求項８】
前記保持座の前記当接部には、前記照明ユニットの前記筐体が前記保持座により保持される際、前記第１の挿通孔と向き合うことができるように対応すると共に、前記ＵＳＢソケットに対応するＵＳＢプラグが通過することができる第２の挿通孔が配置形成されており、
前記保持座は、前記設置台に揺動可能に取付けられている揺動アームを更に備えており、
前記揺動アームには、前記ＵＳＢプラグに接続されている接続ケーブルを収容することができる収容溝が形成されていることを特徴とする、請求項７に記載の電気スタンド。
【請求項９】
前記保持座は、該保持座により保持される前記照明ユニットが前記設置台に接近する接近位置と、前記照明ユニットが前記設置台から離れた離間位置との間に揺動できるように前記設置台に取付けられており、
前記設置台には、前記保持座が前記接近位置に位置する際、前記保持座及び該保持座により保持される前記照明ユニットを収容することができる収容凹部が形成されていることを特徴とする、請求項２〜７のいずれか一項に記載の電気スタンド。
【請求項１０】
前記接合機構は、前記保持座が有する前記当接部に設置される第２の磁石を更に備えていることを特徴とする、請求項６に記載の電気スタンド。
【請求項１１】
前記発光手段は、前記筐体の一側に向って光を発することができるように構成されており、
前記筐体の前記一側の反対側には、前記回路基板と電気的に接続する操作パネルが配置されていることを特徴とする、請求項７に記載の電気スタンド。
【発明の詳細な説明】
【技術分野】
【０００１】
本発明は、照明器具に関し、特に、電気スタンドに関する。
【背景技術】
【０００２】
従来の電気スタンドは、例えば以下の特許文献に記載されているように、台座と、一端が前記台座に接合される支柱と、前記支柱の他端に揺動可能に枢接されて発光することができる照明手段とを含むものがある。このように構成された電気スタンドは、前記照明手段の照明方角を調節することができる。
【先行技術文献】
【特許文献】
【０００３】
【特許文献１】台湾特許第Ｍ４９１１２３号公報
【発明の概要】
【発明が解決しようとする課題】
【０００４】
しかし、このような電気スタンドでは、機能の要である照明手段が、揺動関節を安定させるように支柱に固定されているため、照明手段が故障した際には、修理のために電気スタンド全体を専門店などへ搬送しなければならないという不便がある。したがって、照明手段を取り外して修理または部品の取り替えなどを行うこともまた煩わしい。
【０００５】
上記問題点に鑑みて、本発明は、部品を便利に着脱することができる電気スタンドの提供を目的とする。
【課題を解決するための手段】
【０００６】
上記目的を達成すべく、本発明は、保持座と、発光手段及び該発光手段を収容する筐体を有する照明ユニットと、前記照明ユニットの前記筐体を保持することができる保持座と、前記照明ユニットの前記筐体と前記保持座との間に介在し、前記照明ユニットを着脱可能に前記保持座に係合して保持させる接合機構とを含む電気スタンドであって、前記接合機構が、前記保持座及び前記筐体における何れか１つに形成される係合突起と、前記保持座及び前記収容枠における他の一つに形成されて前記係合突起と着脱可能に係合する係合孔とを備えていることを特徴とする電気スタンドを提供する。
【発明の効果】
【０００７】
上記構成によれば、本発明の電気スタンドは、前記接合機構が、前記保持座及び前記筐体における何れか１つに形成される係合突起と、前記保持座及び前記収容枠における他の一つに形成されて前記係合突起と着脱可能に係合する係合孔とを備えていることで、前記照明ユニットが故障した場合にも容易に取り外して搬送、修理または部品の切り替えなどを行うことができる。
【図面の簡単な説明】
【０００８】
【図１】本発明の電気スタンドの第１の実施形態が示されている斜視図である。
【図２】本発明の第１の実施形態が示されている別視点の斜視図である。
【図３】本発明の第１の実施形態における照明ユニットが取り外された状態が示されている斜視図である。
【図４】本発明の第１の実施形態における前記照明ユニットの、内部構造及び保持座との係合関係が示されている一部解体斜視図である。
【図５】本発明の電気スタンドの第２の実施形態における前記照明ユニットの、内部構造及び保持座との係合関係が示されている一部解体斜視図である。
【図６】本発明の電気スタンドの第３の実施形態が示されている斜視図である。
【図７】本発明の第３の実施形態における前記照明ユニットが取り外された状態が示されている別視点の斜視図である。
【発明を実施するための形態】
【０００９】
以下では、図１〜図４を参照しながら、本発明の電気スタンドの第１の実施形態について詳しく説明する。図１は本発明の電気スタンドの第１の実施形態が示されている斜視図であり、図２はその別視点の斜視図であり、図３は照明ユニットが取り外された状態が示されている斜視図であり、図４は照明ユニットの、内部構造及び保持座との係合関係が示されている一部解体斜視図である。図示したように、本発明の電気スタンドは、設置台２と、設置台２に揺動可能に取付けられている保持座３と、保持座３に保持される照明ユニット４と、照明ユニット４と保持座３との間に介在し、照明ユニット４を着脱可能に保持座３に係合して保持させる接合機構５とを含む構成になっている。
【００１０】
まず、照明ユニット４の構成については、図４に示されたように、筐体４１と、筐体４１に収容されて筐体４１の一側に向って光を発することができるように構成される発光手段４２と、筐体４１内に設置されて発光手段４２と電気的に接続して発光手段４２を制御する回路基板４３と、回路基板４３と電気的に接続するＵＳＢソケット４４と、筐体４１の前記一側の反対側に配置されて回路基板４３と電気的に接続する操作パネル４５とを備えている。また筐体４１には、ＵＳＢソケット４４に対応する第１の挿通孔４１１が形成されている。
【００１１】
この実施形態において、照明ユニット４の筐体４１は、磁石に吸着される材料により作成されたもので、外形が四角形の枠状になっており、厚さが８．２ｍｍである。発光手段４２としては、有機発光ダイオード（ＯＬＥＤ）が使用されている。ＵＳＢソケット４４は、ＵＳＢコネクタ（図示せず）のＵＳＢプラグに差し込まれて接続されることで、回路基板４３に給電できる。そして、操作パネル４５としては、タッチスイッチが採用されている。
【００１２】
保持座３は、図３及び図４に示されているように、当接部３１と、当接部３１から突出して当接部３１と共に照明ユニット４の筐体４１を保持する保持部３２と、設置台２に揺動可能に取付けられている揺動アーム３４とを備えている。当接部３１には、筐体４１が保持座３により保持される際、第１の挿通孔４１１と向き合うことができるように対応すると共に、ＵＳＢソケット４４に対応するＵＳＢコネクタのＵＳＢプラグが通過することができる第２の挿通孔３１１が配置形成されている。保持部３２には、設置凹部３３が形成されている。またＵＳＢコネクタは通常、ＵＳＢプラグに接続されている接続ケーブルを有するので、揺動アーム３４には、接続ケーブルを収容することができる収容溝３４１（図２参照）が形成されている。
【００１３】
図４に示されたように、接合機構５は、保持座３の当接部３１に形成される２つの係合突起５１と、照明ユニット４の筐体４１に形成されて係合突起５１とそれぞれ着脱可能に係合する２つの係合孔５２と、保持座３が有する保持部３２の設置凹部３３に設置されて筐体４１を吸着する第１の磁石５３とを備えている。なお、係合突起５１と係合孔５２の数量は、適宜に変更されてもよく、そして設置場所も、保持座３及び筐体４１における何れか１つとその他の１つに適宜形成されてもよく、本実施形態に制限されない。
【００１４】
接合機構５の各係合突起５１は、円柱状に形成されていると共に、その先端に直径が係合突起５１よりも大きく形成されている大径ブロック５１１が形成されている。一方、各係合孔５２は、大径ブロック５１１に対応して該大径ブロック５１１を受入れることができるように形成される挿入部５２１と、該挿入部５２１の周縁から延伸して係合突起５１が通過できるが、該大径ブロック５１１が通過できないように形成される係合部５２２とを有するように形成されている。
【００１５】
図３と図４に示されたように、本発明の電気スタンドを組み立てて使用する際には、先ず照明ユニット４の筐体４１を保持座３の保持部３２にある第１の磁石５３によって吸着させ、続いて保持座３の当接部３１に形成された各係合突起５１をそれぞれ、筐体４１に形成された各係合孔５２の挿入部５２１に差し込み、次に各係合突起５１をそれぞれ各係合孔５２の係合部５２２へ移動させると、各係合突起５１の先端にある大径ブロック５１１が各係合部５２２に引っ掛かるので、照明ユニット４を保持座３に容易に固定して取り付けることができる。
【００１６】
更に、照明ユニット４が保持座３に取り付けられた状態において、照明ユニット４の筐体４１にある第１の挿通孔４１１と保持座３の保持部３２にある第２の挿通孔３１１は互いに連通することになる。そこで、ＵＳＢコネクタのＵＳＢプラグを保持部３２にある第２の挿通孔３１１から差し込んで照明ユニット４のＵＳＢソケット４４と接続させれば、照明ユニット４に給電することができる。その後、ＵＳＢコネクタの接続ケーブルの部分を揺動アーム３４の収容溝３４１に収めて整えることができる。
【００１７】
なお、故障など何らかの理由で照明ユニット４を保持座３から取り外す場合、保持座３に取り付けられた照明ユニット４を、各係合突起５１を各係合孔５２の係合部５２２から挿入部５２１に移るように動かし、そして各大径ブロック５１１を各係合孔５２の挿入部５２１から引き離せば、照明ユニット４を保持座３から容易に取り外すことができる。更に、給電用のＵＳＢコネクタが故障した場合にも、該ＵＳＢコネクタを照明ユニット４から取り外し、新たなＵＳＢコネクタに替えて照明ユニット４と接続すれば容易に修復することができる。
【００１８】
次は、図５を参照しながら、本発明の電気スタンドの第２の実施形態について説明する。第２の実施形態は、前記第１の実施形態と類似する構成になっているが、この第２の実施形態において、接合機構５の係合突起５１と該係合突起５１に対応する係合孔５２の数量がそれぞれ１つのみで、そして接合機構５は、保持座３が有する当接部３１に設置される第２の磁石５４を更に備えている。このように、接合機構５の係合突起５１と該係合突起５１に対応する係合孔５２の数量をそれぞれ１つのみに構成することにより、照明ユニット４にある係合孔５２を、保持座３にある係合突起５１に取付けるまたは取り外す操作がより簡単になる。一方、第２の磁石５４を追加することによって、照明ユニット４を磁力で当接部３１に吸着することで、前記第１の実施形態と同等の固定効果を発揮することができる。
【００１９】
続いて、図６及び図７を参照しながら、本発明の電気スタンドの第３の実施形態について説明する。本発明の電気スタンドの第３の実施形態は、前記第１の実施形態と同じく、設置台２と、設置台２に揺動可能に取付けられている保持座３と、保持座３に保持される照明ユニット４と、照明ユニット４と保持座３との間に介在し、照明ユニット４を着脱可能に保持座３に係合して保持させる接合機構５とを含む構成になっているが、この第３の実施形態において、保持座３は、揺動アームを介さずに直接設置台２に枢接されており、そして保持座３により保持される照明ユニット４が設置台２に接近する接近位置と、照明ユニット４が設置台２から離れた離間位置との間に揺動できるように設置台２に取付けられている。更に、設置台２には、保持座３が前記接近位置に位置する際、保持座３及び該保持座３により保持される照明ユニット４を収容することができる収容凹部２１が形成されている。この構成であれば、本発明の電気スタンドを使用しない場合では、照明ユニット４を設置台２に折り畳んで収納し、場所を取らないようにすることができる。また、揺動アーム３４を省略したことで、本発明の電気スタンド全体の小型化及び軽量化を図ることができる。
【００２０】
以上の各実施形態を総括すると、接合機構５の係合突起５１と、係合孔５２と、磁石５３（５４）とが設けられたことで、照明ユニット４が保持座３に対して着脱可能であるため、照明ユニット４が故障した場合の搬送、修理や取替えなどを容易に行うことができ、便利である。更に本発明の電気スタンドは、照明ユニット４自体がＵＳＢソケット４４を備えているため、給電用のケーブルが故障した場合でも、新たなＵＳＢコネクタに替えて照明ユニット４と接続すれば容易に修復することができる。
【００２１】
以上、本発明の好ましい実施形態を説明したが、本発明はこれに限定されるものではなく、その要旨を逸脱しない範囲で種々変更可能である。
【産業上の利用可能性】
【００２２】
上記構成によれば、本発明の電気スタンドは、照明ユニット４が保持座３に対して着脱可能であることで、照明ユニット４が故障した場合、修理するために照明ユニット４のみを取り外して専門店などまで搬送することができ、便利である。更に、修理や外観変更などのために使用者が自ら取替えることができるように、照明ユニットを単独で販売することもできる。
【符号の説明】
【００２３】
２      設置台
２１    収容凹部
３      保持座
３１    当接部
３１１  第２の挿通孔
３２    保持部
３３    設置凹部
３４    揺動アーム
３４１  収容溝
４      照明ユニット
４１    筐体
４１１  第１の挿通孔
４２    発光手段
４３    回路基板
４４    ＵＳＢソケット
４５    操作パネル
５      接合機構
５１    係合突起
５１１  大径ブロック
５２    係合孔
５２１  挿入部
５２２  係合部
５３    第１の磁石
５４    第２の磁石
【図１】
2016181499.tif 000003
【図２】
2016181499.tif 000004
【図３】
2016181499.tif 000005
【図４】
2016181499.tif 000006
【図５】
2016181499.tif 000007
【図６】
2016181499.tif 000008
【図７】
2016181499.tif 000009